(57)【要約】【課題】複数種類であってもそれぞれに記入された情報が手間をかけずに取り込まれることができる帳票をデザインする。【解決手段】帳票デザイン作成部１１にて作成されたデザインについて、帳票画像取込枠設定部１３において画像イメージとして取り込む領域を設定するとともに、帳票画像取込枠情報生成部１４において、この領域を指定するための情報を二次元コード情報として生成し、帳票デザイン出力部１５において、作成されたデザインにこの二次元コード情報を組み込んで帳票デザインとして出力する。【選択図】　図１
2004056495.tif 000002
【特許請求の範囲】
【請求項１】
帳票のデザインを作成し、出力する帳票デザイン作成装置であって、
帳票のデザインを作成する帳票デザイン作成手段と、
前記帳票デザイン作成手段にて作成されたデザインについて画像イメージとして取り込む領域を設定する帳票画像取込枠設定手段と、
前記帳票画像取込枠設定手段にて設定された領域を指定するための情報を二次元コード情報として生成する帳票画像取込枠情報生成手段と、
前記帳票デザイン作成手段にて作成されたデザインに前記帳票画像取込枠情報生成手段にて生成された二次元コード情報を組み込み帳票デザインとして出力する帳票デザイン出力手段とを有することを特徴とする帳票デザイン作成装置。
【請求項２】
請求項１に記載の帳票デザイン作成装置において、
既存の帳票のデザインを画像イメージとして取り込む帳票イメージ取込手段を有し、
前記帳票画像取込枠設定手段は、前記帳票デザイン作成手段にて作成されたデザインまたは前記帳票イメージ取込手段にて取り込まれたデザインについて画像イメージとして取り込む領域を設定し、
前記帳票デザイン出力手段は、前記帳票デザイン作成手段にて作成されたデザインまたは前記帳票イメージ取込手段にて取り込まれたデザインに前記帳票画像取込枠情報生成手段にて生成された二次元コード情報を組み込み帳票デザインとして出力することを特徴とする帳票デザイン作成装置。
【請求項３】
請求項１または請求項２に記載の帳票デザイン作成装置において、
前記帳票画像取込枠設定手段は、画像イメージとして取り込む領域を、帳票の種類毎に独立して設定することを特徴とする帳票デザイン作成装置。
【請求項４】
請求項１乃至３のいずれか１項に記載の帳票デザイン作成装置において、
前記帳票画像取込枠設定手段は、画像イメージとして取り込む領域を、データベースに予め登録された情報の種類毎に独立して設定することを特徴とする帳票デザイン作成装置。
【請求項５】
請求項１乃至４のいずれか１項に記載の帳票デザイン作成装置において、
前記帳票画像取込枠設定手段は、前記帳票画像取込枠情報生成手段にて生成される二次元コード情報の位置を設定し、
前記二次元コード情報の位置情報を出力する画像取込枠出力手段を有することを特徴とする帳票デザイン作成装置。
【請求項６】
請求項１乃至５のいずれか１項に記載の帳票デザイン作成装置にて作成されたデザインからなる帳票に記入された情報を取り込む帳票画像取込装置であって、
帳票に記入された情報を画像イメージとして取り込む帳票イメージ取込手段と、
前記帳票画像取込枠情報生成手段にて生成された二次元コード情報に基づいて、画像イメージとして取り込む領域を解析する画像取込枠解析手段と、
前記帳票イメージ取込手段にて取り込まれた情報のうち、前記画像取込枠解析手段にて解析された領域の情報のみを切り出す画像取込枠切出し手段と、
前記画像取込枠切出し手段にて切り出された情報を画像データとして出力する画像データ出力手段とを有することを特徴とする帳票画像取込装置。
【請求項７】
請求項５に記載の帳票デザイン作成装置にて作成されたデザインからなる帳票に記入された情報を取り込む帳票画像取込装置であって、
帳票に記入された情報を画像イメージとして取り込む帳票イメージ取込手段と、
前記画像取込枠出力手段から出力された情報に基づいて、前記帳票画像取込枠情報生成手段にて生成された二次元コード情報の位置を検出し、検出された位置から前記二次元コード情報を読み取り、該二次元コード情報に基づいて、画像イメージとして取り込む領域を解析する画像取込枠解析手段と、
前記帳票イメージ取込手段にて取り込まれた情報のうち、前記画像取込枠解析手段にて解析された領域の情報のみを切り出す画像取込枠切出し手段と、
前記画像取込枠切出し手段にて切り出された情報を画像データとして出力する画像データ出力手段とを有することを特徴とする帳票画像取込装置。
【請求項８】
所定の情報を記入するための領域が設けられた帳票であって、
前記領域のうち画像イメージとして取り込むべき領域を指定するための情報が二次元コード情報として表現されて印刷されていることを特徴とする帳票。
【発明の詳細な説明】
【０００１】
【発明の属する技術分野】
本発明は、帳票デザインを作成する帳票デザイン作成装置、並びに帳票に記入された画像情報を取り込む帳票画像取込装置に関する。
【０００２】
【従来の技術】
従来より、クレジットカードの入会申込書やクレジットカードの利用明細書あるいは請求書、その他、例えば、宅配便の貼付シート等に代表される帳票においては、様々な分野で利用されており、発行元やその目的の違いによって様々な種類が設定されている。これらの帳票においては、所定の情報が予め印刷された領域と、利用者が情報を記入するための領域とが設けられており、そのレイアウトは帳票毎に決められている。
【０００３】
図９は、一般的な帳票の一例を示す図である。
【０００４】
図９に示すように一般的な帳票においては、所定の情報が予め印刷されているプレ印刷領域１０１と、利用者が情報を記入するための情報記入領域１０２とが設けられており、情報記入領域１０２に情報を記入するための枠１０３は、プレ印刷領域１０１に印刷された情報と同時に予め印刷されている。
【０００５】
上記のように構成される帳票は、まず、プレ印刷領域１０１及び情報記入領域１０２のレイアウトが決められ、その後、プレ印刷領域１０１に含まれる情報と、情報記入領域１０２内の枠１０３とが印刷される。
【０００６】
このように作成された帳票においては、情報記入領域１０２に利用者が情報を記入した後、情報記入領域１０２に記入された情報をオペレータがキー入力等により情報処理装置に入力することにより、情報記入領域１０２に記入された情報がデータ化される。
【０００７】
また、近年においては、オペレータによるキー入力の手間を省くために、情報記入領域１０２に記入された情報を画像イメージとして取り込み、画像イメージとして取り込んだ情報をデータ化することが行われている。
【０００８】
このように情報記入領域１０２に記入された情報を画像イメージとして取り込む場合は、枠１０３によって決められる情報記入領域１０２のレイアウト及び画像イメージとして情報を取り込む領域を帳票の種類毎に情報処理装置にて設定しておき、情報処理装置において、決められた領域に記入された情報のみを画像イメージとして取り込みデータ化する。これにより、帳票のレイアウトに基づいて取り込むべき情報のみを情報処理装置に自動的に取り込み、データ化することができる。
【０００９】
【発明が解決しようとする課題】
しかしながら、上述したように画像イメージとして情報を取り込む領域を予め設定しておき、その領域に記入された情報を画像イメージとして取り込みデータ化する場合、情報記入領域のレイアウトが帳票の種類毎に異なるため、同一種類の帳票毎にしか処理をすることができず、帳票の種類が複数存在する場合、帳票をその種類毎に分類しなければならないとともに、帳票の種類毎に情報記入領域のレイアウトを設定しなければならないという問題点がある。特に、帳票の種類が多数存在する場合は、これらにかかる手間と時間は膨大となり、コストアップが生じてしまう。
【００１０】
本発明は、上述したような従来の技術が有する問題点に鑑みてなされたものであって、複数種類であってもそれぞれに記入された情報が手間をかけずに取り込まれることができる帳票をデザインする帳票デザイン作成装置、並びに帳票デザイン作成装置にて作成された帳票から情報を取り込むことができる帳票画像取込装置を提供することを目的とする。
【００１１】
【課題を解決するための手段】
上記目的を達成するために本発明は、
帳票のデザインを作成し、出力する帳票デザイン作成装置であって、
帳票のデザインを作成する帳票デザイン作成手段と、
前記帳票デザイン作成手段にて作成されたデザインについて画像イメージとして取り込む領域を設定する帳票画像取込枠設定手段と、
前記帳票画像取込枠設定手段にて設定された領域を指定するための情報を二次元コード情報として生成する帳票画像取込枠情報生成手段と、
前記帳票デザイン作成手段にて作成されたデザインに前記帳票画像取込枠情報生成手段にて生成された二次元コード情報を組み込み帳票デザインとして出力する帳票デザイン出力手段とを有することを特徴とする。
【００１２】
また、既存の帳票のデザインを画像イメージとして取り込む帳票イメージ取込手段を有し、
前記帳票画像取込枠設定手段は、前記帳票デザイン作成手段にて作成されたデザインまたは前記帳票イメージ取込手段にて取り込まれたデザインについて画像イメージとして取り込む領域を設定し、
前記帳票デザイン出力手段は、前記帳票デザイン作成手段にて作成されたデザインまたは前記帳票イメージ取込手段にて取り込まれたデザインに前記帳票画像取込枠情報生成手段にて生成された二次元コード情報を組み込み帳票デザインとして出力することを特徴とする。
【００１３】
また、前記帳票画像取込枠設定手段は、画像イメージとして取り込む領域を、帳票の種類毎に独立して設定することを特徴とする。
【００１４】
また、前記帳票画像取込枠設定手段は、画像イメージとして取り込む領域を、データベースに予め登録された情報の種類毎に独立して設定することを特徴とする。
【００１５】
また、前記帳票画像取込枠設定手段は、前記帳票画像取込枠情報生成手段にて生成される二次元コード情報の位置を設定し、
前記二次元コード情報の位置情報を出力する画像取込枠出力手段を有することを特徴とする。
【００１６】
また、前記帳票デザイン作成装置にて作成されたデザインからなる帳票に記入された情報を取り込む帳票画像取込装置であって、
帳票に記入された情報を画像イメージとして取り込む帳票イメージ取込手段と、
前記帳票画像取込枠情報生成手段にて生成された二次元コード情報に基づいて、画像イメージとして取り込む領域を解析する画像取込枠解析手段と、
前記帳票イメージ取込手段にて取り込まれた情報のうち、前記画像取込枠解析手段にて解析された領域の情報のみを切り出す画像取込枠切出し手段と、
前記画像取込枠切出し手段にて切り出された情報を画像データとして出力する画像データ出力手段とを有することを特徴とする。
【００１７】
また、前記帳票デザイン作成装置にて作成されたデザインからなる帳票に記入された情報を取り込む帳票画像取込装置であって、
帳票に記入された情報を画像イメージとして取り込む帳票イメージ取込手段と、
前記画像取込枠出力手段から出力された情報に基づいて、前記帳票画像取込枠情報生成手段にて生成された二次元コード情報の位置を検出し、検出された位置から前記二次元コード情報を読み取り、該二次元コード情報に基づいて、画像イメージとして取り込む領域を解析する画像取込枠解析手段と、
前記帳票イメージ取込手段にて取り込まれた情報のうち、前記画像取込枠解析手段にて解析された領域の情報のみを切り出す画像取込枠切出し手段と、
前記画像取込枠切出し手段にて切り出された情報を画像データとして出力する画像データ出力手段とを有することを特徴とする。
【００１８】
また、所定の情報を記入するための領域が設けられた帳票であって、
前記領域のうち画像イメージとして取り込むべき領域を指定するための情報が二次元コード情報として表現されて印刷されていることを特徴とする。
【００１９】
（作用）
上記のように構成された本発明においては、帳票のデザインを作成し、出力する帳票デザイン作成装置において、作成されたデザインについて画像イメージとして取り込む領域が設定されるとともに、この領域を指定するための情報が二次元コード情報として生成され、作成されたデザインにこの二次元コード情報が組み込まれて帳票デザインとして出力される。
【００２０】
この帳票デザイン作成装置にて作成されたデザインからなる帳票に記入された情報を取り込む帳票画像取込装置においては、帳票に記入された情報を画像イメージとして取り込むとともに、帳票デザイン作成装置にて生成された二次元コード情報に基づいて、画像イメージとして取り込む領域が解析され、解析された領域に記入された情報のみが画像データとして出力される。
【００２１】
このように、帳票内にて画像イメージとして取り込むべき領域が二次元コード情報によって表現された形態で帳票デザインに組み込まれ、この二次元コードによって表現される領域に記入された情報のみが取り込まれることになるので、複数種類の帳票に対してもそれぞれに記入された情報が手間をかけずに取り込まれる。
【００２２】
また、二次元コード情報の位置情報が帳票デザイン作成装置から出力され、帳票画像取込装置において、この位置情報に基づいて二次元コード情報の位置が検出される場合は、二次元コード情報が帳票デザインの任意の位置に組み込まれている場合においても、画像イメージとして取り込むべき領域が帳票画像取込装置にて認識される。
【００２３】
【発明の実施の形態】
以下に、本発明の実施の形態について図面を参照して説明する。
【００２４】
まず、本発明の帳票デザイン作成装置の実施の形態について説明する。
【００２５】
図１は、本発明の帳票デザイン作成装置の実施の一形態を示すブロック図である。
【００２６】
本形態は図１に示すように、帳票のデザインを作成する帳票デザイン作成部１１と、既存の帳票のデザインを画像イメージとして取り込む帳票イメージ取込部１２と、帳票デザイン作成部１１にて作成されたデザインや帳票イメージ取込部１２にて取り込まれたデザインについて、帳票の種類や顧客情報データベース２０に登録された顧客情報に基づいて、画像イメージとして取り込む領域を設定する帳票画像取込枠設定部１３と、帳票画像取込枠設定部１３にて設定された領域を指定するための情報を生成する帳票画像取込枠情報生成部１４と、帳票デザイン作成部１１にて作成されたデザインや帳票イメージ取込部１２にて取り込まれたデザインに帳票画像取込枠情報生成部１４にて生成された情報を組み込み帳票デザインとして出力する帳票デザイン出力部１５と、帳票画像取込枠設定部１３にて設定された領域を指定するための情報を画像取込枠設定データとして出力する画像取込枠出力部１６とから構成されている。
【００２７】
以下に、上記のように構成された帳票デザイン作成装置における帳票デザイン作成処理について説明する。
【００２８】
図２は、図１に示した帳票デザイン作成装置にて作成されるデザインからなる帳票の一例を示す図であり、図３は、図１に示した帳票デザイン作成装置における帳票デザイン作成処理を説明するためのフローチャートである。
【００２９】
図２に示すように図１に示した帳票デザイン作成装置にて作成されるデザインからなる帳票においては、所定の情報が予め印刷されているプレ印刷領域１と、利用者が情報を記入するための情報記入領域２とが設けられており、情報記入領域２に情報を記入するための枠３は、プレ印刷領域１に印刷される情報と同時に予め印刷される。また、画像イメージとして取り込む領域を指定するための情報が二次元コード４として表現されて印刷されている。
【００３０】
上記のように構成される帳票は、まず、帳票デザイン作成部１１において、帳票のデザインが作成される（ステップＳ１）。
【００３１】
また、既存の帳票を用いる場合は、帳票イメージ取込部１２において、その帳票のデザインが画像イメージとして取り込まれる（ステップＳ２）。
【００３２】
次に、帳票画像取込枠設定部１３において、帳票デザイン作成部１１にて作成されたデザインや、帳票イメージ取込部１２にて取り込まれたデザインについて、帳票の種類や顧客データベース２０に登録された情報に基づいて、帳票の情報記入領域２のうち画像イメージとして取り込む領域が設定される（ステップＳ３）。
【００３３】
ここで、帳票画像取込枠設定部１３における処理について詳細に説明する。
【００３４】
図４は、図１に示した帳票画像取込枠設定部１３における処理を説明するための図であり、（ａ）は帳票のレイアウトを指定するためのデータを示す図、（ｂ）は画像イメージとして取り込む領域を指定するためのデータを示す図、（ｃ）は（ｂ）に示した情報を指定するための情報の帳票における配置位置等を指定するためのデータを示す図である。
【００３５】
まず、帳票デザイン作成部１１にて作成されたデザインや帳票イメージ取込部１２にて取り込まれたデザインについて、図４（ａ）に示すように、その帳票のサイズや向きからなる帳票のレイアウトが設定される。
【００３６】
次に、帳票デザイン作成部１１にて作成されたデザインや帳票イメージ取込部１２にて取り込まれたデザインについて、図４（ｂ）に示すように、画像イメージとして取り込む領域が設定される。これは、帳票の種類に応じて、画像イメージとして取り込む領域を指定するための位置や大きさ、さらに、その項目属性やＯＣＲ属性やＯＣＲ桁数が設定される。
【００３７】
次に、図４（ｃ）に示すように、図４（ｂ）に示したような情報を指定するために帳票画像取込枠情報生成部１４にて生成される情報の帳票における配置位置が設定される。なお、本形態においては、後述するように、帳票画像取込枠情報生成部１４において、図４（ｂ）に示したような情報を指定する二次元コード情報が生成されるため、この二次元コード情報の帳票における配置位置やそのサイズ、種類が設定される。
【００３８】
また、ここで、顧客情報データベース２０に登録された顧客情報に基づいて、帳票デザイン作成部１１にて作成されたデザインや帳票イメージ取込部１２にて取り込まれたデザインについて画像イメージとして取り込む領域が設定されることも考えられる。
【００３９】
図５は、図１に示した帳票画像取込枠設定部１３における処理を説明するための図であり、（ａ）は顧客情報データベース２０に登録された顧客情報を示す図、（ｂ）は顧客情報データベース２０に登録された顧客情報に基づいて画像イメージとして取り込む領域を指定するためのデータを示す図である。
【００４０】
図５（ａ）に示すように、顧客情報データベース２０に登録された顧客情報には、顧客のそれぞれに対応して、顧客の氏名や住所の他に、所定の条件に対する属性が設定されており、図５（ｂ）に示すように、その属性に基づいて、画像イメージとして取り込む領域が設定される。
【００４１】
ステップＳ３にて画像イメージとして取り込む領域が設定された後、帳票画像取込枠情報生成部１４において、ステップＳ３にて設定された領域を指定するための情報が生成される（ステップＳ４）。この情報は例えば、図２に示すように二次元コード４で表現されるように生成される。
【００４２】
図６は、図１に示した帳票画像取込枠情報生成部１４にて生成される情報を説明するための図であり、（ａ）は帳票の種類毎に生成される情報を示す図、（ｂ）は顧客情報データベース２０に登録された顧客毎に生成される情報を示す図である。
【００４３】
帳票の種類毎に画像イメージとして取り込む領域が設定された場合は図６（ａ）に示すように、帳票の種類毎に、ステップＳ３にて設定された領域を指定するためのコード情報が生成される。
【００４４】
また、顧客情報データベース２０に登録された顧客毎に画像イメージとして取り込む領域が設定された場合は図６（ｂ）に示すように、顧客情報データベース２０に登録された顧客毎に、ステップＳ３にて設定された領域を指定するためのコード情報が生成される。
【００４５】
その後、帳票デザイン出力部１５において、帳票デザイン作成部１１にて作成されたデザインや帳票イメージ取込部１２にて取り込まれたデザインに帳票画像取込枠情報生成部１４にて生成された情報が組み込まれ、帳票デザインとして出力される（ステップＳ５）。ここで、画像イメージとして取り込む領域を指定するための情報となる二次元コード情報の配置位置においては、帳票画像取込枠設定部１３にて設定されているため、その配置位置に、画像イメージとして取り込む領域を指定するための情報となる二次元コード情報が組み込まれることになるまた、画像取込枠出力部１６においては、帳票画像取込枠設定部１３にて設定された、図４〜図６に示した情報が画像取込枠設定データとして出力される（ステップＳ６）。画像取込枠出力部１６から出力された画像取込枠設定データは、データベースとして登録されることが考えられる。
【００４６】
次に、本発明の帳票画像取込装置の実施の形態について説明する。
【００４７】
図７は、本発明の帳票画像取込装置の実施の一形態を示すブロック図であり、図１に示した帳票デザイン作成装置１０にて作成されたデザインからなる帳票に記入された情報を取り込むものである。
【００４８】
本形態は図７に示すように、帳票に記入された情報を画像イメージとして取り込む帳票イメージ取込部３１と、帳票デザイン作成装置１０から出力された画像取込枠設定データに基づいて、二次元コード４の配置位置を検出するとともに、画像イメージとして取り込む領域を解析する画像取込枠解析部３２と、画像取込枠解析部３２にて解析された結果に基づいて、帳票イメージ取込部３１にて取り込まれた情報のうち、所定の情報のみを切り出す画像取込枠切出し部３３と、画像取込枠切出し部３３にて切り出された情報を画像データとして出力する画像データ出力部３４とから構成されている。
【００４９】
以下に、上記のように構成された帳票画像取込装置における帳票画像取込処理について説明する。
【００５０】
図８は、図７に示した帳票画像取込装置における帳票画像取込処理を説明するためのフローチャートである。
【００５１】
まず、帳票イメージ取込部３１において、帳票に記入された情報が画像イメージとして取り込まれる（ステップＳ１１）。
【００５２】
また、画像取込解析部３２において、帳票デザイン作成装置１０から出力された画像取込枠設定データに基づいて、二次元コード４の配置位置が検出される（ステップＳ１２）。ここで、二次元コード４の配置位置は、図４に示したように、帳票の種類毎に設定されているため、帳票イメージ取込部３１にて取り込まれた画像イメージについて、ステップＳ１２にて検出された位置に二次元コード４が存在するかどうかが確認され（ステップＳ１３）、二次元コード４が存在する場合は、その二次元コード４によって表現される情報によって指定される領域が解析される（ステップＳ１４）。なお、帳票デザイン作成装置１０からは、図４（ｃ）に示したように、画像イメージとして取り込む領域を指定するための情報が表現された二次元コード４の配置位置が画像取込枠設定データに含まれて出力されており、画像取込枠解析部３２においては、帳票デザイン作成装置１０から出力された画像取込枠設定データに含まれる、二次元コード４の配置位置が検出されることになる。また、二次元コード４は、上述したように、帳票の種類毎あるいは顧客情報データベース２０に登録された顧客毎に、画像イメージとして取り込むべき領域を表現するように生成されているため、二次元コード４を参照することにより、画像イメージとして取り込むべき領域が解析される。
【００５３】
また、帳票イメージ取込部３１にて取り込まれた画像イメージについて、ステップＳ１２にて検出された位置に二次元コード４が存在しない場合は、帳票デザイン作成装置１０から出力された画像取込枠設定データにて次に設定された配置位置が存在するかどうかが確認され（ステップＳ１５）、次に設定された配置位置が存在する場合は、ステップＳ１２における処理に戻り、その配置位置について同様の処理が行われる。
【００５４】
また、帳票デザイン作成装置１０から出力された画像取込枠設定データにて次に設定された配置位置が存在しない場合は、帳票のリジェクト処理が行われる（ステップＳ１６）。これは、帳票デザイン作成装置１０から出力された画像取込枠設定データにて設定された全ての配置位置についてコード情報が存在しないと判断される場合であって、例えば、処理対象ではない帳票や用紙が混在している場合や、帳票の汚れや破損等によりコード情報が読み取れない場合等が考えられる。
【００５５】
次に、画像取込枠切出し部３３において、帳票イメージ取込部３１にて取り込まれた画像イメージの中から、画像取込枠解析部３２に解析された領域における画像イメージのみが切り出される（ステップＳ１７）。
【００５６】
その後、画像データ出力部において、画像取込枠切出し分３３にて切り出された画像イメージが画像データとして出力される（ステップＳ１８）。
【００５７】
なお、本形態においては、帳票における画像イメージとして取り込むべき領域を指定するための情報を二次元コード４により表現して帳票に組み込んでいるが、帳票における画像イメージとして取り込むべき領域を、ＯＣＲ文字や一次元バーコードを用いて指定することも考えられる。その場合は、ＯＣＲ文字や一次元バーコードによって、帳票における画像イメージとして取り込むべき領域を指定するための情報が識別可能となる識別情報を表現しておき、さらに、帳票における画像イメージとして取り込むべき領域を指定するための情報をこの識別情報と対応づけてデータベースに登録しておく。帳票画像取込装置３０においては、帳票に組み込まれたＯＣＲ文字や一次元バーコードを読み取った後、このＯＣＲ文字や一次元バーコードによって表現される識別情報に対応づけられた情報をデータベースから検索し、検索された情報によって画像イメージとして取り込むべき領域を解析することになる。
【００５８】
【発明の効果】
以上説明したように本発明においては、帳票データ作成装置において、帳票内にて画像イメージとして取り込むべき領域が二次元コード情報によって表現された形態で帳票デザインに組み込まれ、また、帳票画像取込装置において、この二次元コードによって表現される領域に記入された情報のみが取り込まれる構成としたため、複数種類の帳票に対してもそれぞれに記入された情報を手間をかけずに取り込むことができる。
【００５９】
また、二次元コード情報の位置情報が帳票デザイン作成装置から出力され、帳票画像取込装置において、この位置情報に基づいて二次元コード情報の位置が検出されるものにおいては、二次元コード情報が帳票デザインの任意の位置に組み込まれている場合においても、画像イメージとして取り込むべき領域を帳票画像取込装置にて認識することができる。
【図面の簡単な説明】
【図１】本発明の帳票デザイン作成装置の実施の一形態を示すブロック図である。
【図２】図１に示した帳票デザイン作成装置にて作成されるデザインからなる帳票の一例を示す図である。
【図３】図１に示した帳票デザイン作成装置における帳票デザイン作成処理を説明するためのフローチャートである。
【図４】図１に示した帳票画像取込枠設定部における処理を説明するための図であり、（ａ）は帳票のレイアウトを指定するためのデータを示す図、（ｂ）は画像イメージとして取り込む領域を指定するためのデータを示す図、（ｃ）は（ｂ）に示した情報を指定するための情報の帳票における配置位置等を指定するためのデータを示す図である。
【図５】図１に示した帳票画像取込枠設定部における処理を説明するための図であり、（ａ）は顧客情報データベースに登録された顧客情報を示す図、（ｂ）は顧客情報データベースに登録された顧客情報に基づいて画像イメージとして取り込む領域を指定するためのデータを示す図である。
【図６】図１に示した帳票画像取込枠情報生成部にて生成される情報を説明するための図であり、（ａ）は帳票の種類毎に生成される情報を示す図、（ｂ）は顧客情報データベースに登録された顧客毎に生成される情報を示す図である。
【図７】本発明の帳票画像取込装置の実施の一形態を示すブロック図である。
【図８】図７に示した帳票画像取込装置における帳票画像取込処理を説明するためのフローチャートである。
【図９】一般的な帳票の一例を示す図である。
【符号の説明】
１　　プレ印刷領域
２　　情報記入領域
３　　枠
４　　二次元コード
１０　　帳票デザイン作成装置
１１　　帳票デザイン作成部
１２　　帳票イメージ取込部
１３　　帳票画像取込枠設定部
１４　　帳票画像取込枠設定情報生成部
１５　　帳票デザイン出力部
１６　　画像取込枠出力部
２０　　顧客情報データベース
３０　　帳票画像取込装置
３１　　帳票イメージ取込部
３２　　画像取込枠解析部
３３　　画像取込枠切出し部
３４　　画像データ出力部
【図１】
2004056495.tif 000003
【図２】
2004056495.tif 000004
【図３】
2004056495.tif 000005
【図４】
2004056495.tif 000006
【図５】
2004056495.tif 000007
【図６】
2004056495.tif 000008
【図７】
2004056495.tif 000009
【図８】
2004056495.tif 000010
【図９】
2004056495.tif 000011